(57)【要約】【課題】  携帯用端末器の表示部及びバックライトの動作方法に関し、ユーザのキー入力がなくても表示モードを変換したりバックライトをオンオフできるようにする。【解決手段】  表示部またはキー入力部に光源を提供するバックライトと、ユーザの動作にともなう前記端末器の動きの感知のためのセンサと、表示データを出力する表示部と、表示データを入力受けて制御信号によって前記表示データを変換して前記表示部を介して出力する映像処理部と、前記バックライトがオフされる状態で前記センサを通して前記携帯用端末器の動きが感知になれば前記バックライトをオンしたり、前記映像処理部を通して前記表示データを回転変換して出力するように制御する制御部を具備することを特徴とする。【選択図】  図１
2005198235.tif 000002
【特許請求の範囲】
【請求項１】
携帯用端末器のバックライト制御方法において、
ユーザの動作を検出してセンシング信号を発生して制御部に出力する第1ステップ;
前記センシング信号によって前記制御部が制御信号を出力する第2ステップ;及び、
前記制御信号によってバックライトをオンする第３ステップ
を具備することを特徴とする携帯用端末器のバックライト制御方法。
【請求項２】
前記センシング信号は加速度センサまたは振動センサにより発生することを特徴とする請求項１記載の携帯用端末器のバックライト制御方法。
【請求項３】
携帯用端末器のバックライトと表示部制御方法において、
携帯用端末器の動きを検出する第1ステップ;
前記動きが検出されたならば現在動作モードが映像出力モードなのかを検査する第2ステップ;
現在の動作モードが映像出力モードならばバックライトがオフなったのかを検査する第３ステップ;
前記バックライトがオフなったならば前記バックライトをオンする第4ステップ;
前記バックライトがオンなったならば表示部の出力パターンを回転して出力する第5ステップ;及び、
前記第2ステップで、現在の動作モードが映像出力モードでなくてバックライトがオ  フなったならばバックライトをオンする第6ステップ
を具備することを特徴とする携帯用端末器の表示部及びバックライト制御方法。
【請求項４】
前記携帯用端末器の動きは、加速度センサまたは振動センサにより検出されること
を特徴とする請求項３記載の携帯用端末器の表示部及びバックライト制御方法。
【請求項５】
前記 5ステップは、前記表示部の垂直方向の出力パターンを保存している第1メモリと水平方向の出力パターンを保存している第2メモリによりなること
を特徴とする請求項３記載の携帯用端末器の表示部及びバックライト制御方法。
【請求項６】
前記5ステップは、前記表示部の垂直方向または水平方向の出力パターンのデータをプログラムにより選択して回転出力すること
を特徴とする請求項３記載の携帯用端末器の表示部及びバックライト制御方法。
【請求項７】
携帯用端末器のバックライトと表示部の制御方法において、
前記携帯用端末器の動きを検出する第1ステップ;
動きが検出されたならばバックライトがオフなったのかを検査する第2ステップ;
前記バックライトがオフなったならば前記バックライトをオンする第３ステップ;及び、
前記第2ステップでバックライトがオンなったならば表示部の出力パターンを回転して出力する第4ステップ
を具備することを特徴とする携帯用端末器の表示部及びバックライト制御方法。
【請求項８】
携帯用端末器のバックライト制御装置において、
バックライトをオン/オフする制御信号を出力する制御手段と;
前記制御部が前記制御信号を出力するようにユーザの動作にともなう前記携帯用端末器の動きを検出してセンシング信号を発生させて前記制御部に伝送するセンシング手段と
を具備することを特徴とする携帯用端末器のバックライト制御方法。
【請求項９】
前記センシング手段は、加速度センサまたは振動センサであること
を特徴とする請求項８記載の携帯用端末器のバックライト制御方法。
【請求項１０】
請求項８において、さらに、
表示部の垂直方向の出力パターンを保存している第1メモリと水平方向の出力パターンを保存している第2メモリ;及び、
前記センシング信号により前記メモリ中である一つを選択して前記表示部の出力を制御する映像処理部
を具備することを特徴とする携帯用端末器のバックライト制御装置。
【発明の詳細な説明】
【技術分野】
【０００１】
本発明は携帯電話またはスマートフォン、PDA(Personal Digital Assistant)などのような携帯用端末器の表示部とバックライトの動作装置及びその制御方法に関することで、特にユーザが別途のキーを入力することがなくてもバックライト動作及び表示部の出力を制御できるようにしたことである。
【背景技術】
【０００２】
従来の表示部の駆動方法はバッテリーを節約するために、駆動後一定時間の間何らのキー入力がなければ表示部のバックライトを消してしまう方法を採択している。また、バッテリーを節約するための方法として周囲の明るさが一定分以下になれば自動的にバックライトをオンして表示部を動作させる方法である。
【０００３】
しかし、周囲の明るさによってバックライトを駆動する方法はセンサの駆動電力が含まれて実質的な節約効果が微小で、前者のように一定時間の間キー入力がない時にバックライトをオフする場合はバックライトをオンするためにユーザがキーを押さなければならない問題点がある。すなわち、ユーザが端末器を使用する途中バックライトがオフなってバックライトをオンするためには特定キーを押してイベントを発生させなければならない。このような場合バックライトが灯るが、ユーザが願わない該当キーに対する文字が入力されたり、現在進行中のモードで他のモードに転換になる問題点がある。
【０００４】
一方、端末器の機能が多様化になりながら動映像やイメージなどをディスプレーする場合が多く発生するようになる。このような場合一般的な表示部のサイズが上下に長い形態を持っているために一般的な画像(4ｘ3:テレビ、16ｘ9:HDTV、写真)とは差がある。したがって一部の左右が切られて出力されたり、画像が縮小になって出力される問題点がある。これを解決するために出力方向を回転してくれる方法があるが、このまたユーザが多数のキーを押さなければならない問題点がある。
【発明の開示】
【発明が解決しようとする課題】
【０００５】
詳述した問題点を解決するために本発明の目的はユーザが別途のキーを押さなくてもバックライトを動作させることができる装置及び方法を提供することにある。
【０００６】
本発明の他の目的はユーザが別途のキーを押さなくても画面の出力方向を変換させることができる装置及び方法を提供することにある。
【課題を解決するための手段】
【０００７】
前記目的を達成するための本発明は、表示部やキー入力部に光源を提供するバックライトと、ユーザの動作にともなう前記端末器の動きの感知のためのセンサと、表示データを出力する表示部と、表示データを入力受けて制御信号によって前記表示データを変換して前記表示部を通して出力する映像処理部と、前記携帯用端末器が動作中に電源節約のために前記バックライトがオフされる状態で前記センサを通して前記携帯用端末器の動きが感知になれば前記バックライトをオンしたり、前記映像処理部を通して前記表示データを回転変換して出力するように制御する制御部を具備することを特徴とする。
【発明の効果】
【０００８】
本発明は、表示部またはキーパッドのバックライト及び、表示部の動作をユーザが別途のキーを押さないで但し端末器が動いたかを判断して動作させるため、容易にバックライトを動作させて、画面を回転変換して動作させることができる長所がある。
【発明を実施するための最良の形態】
【０００９】
以下、添付された図面を参照して本発明の好ましい実施例を詳細に説明する。
【００１０】
図1は本発明の実施例にともなう携帯用端末器の概略的なブロック構成図であり、図2は本発明の実施例にともなう携帯用端末器の斜視図であり、図3は本発明の実施例にともなう携帯用端末器の動作制御フローチャートであり、図4は本発明の他の実施例にともなう携帯用端末器の動作制御フローチャートである。
【００１１】
本発明にともなう携帯用端末器は振動センサ(100)により表示部(13)及びバックライト(15)を制御する装置及び方法に関することとして携帯用端末器の制御部(10)は端末器の全般的な動作を制御して本発明によりセンサ(100)の状態によって映像処理部(12)を通して画面データの出力方向を変更して、バックライト(15)をオン/オフする。
【００１２】
キー入力部(11)は数字キーと多数のファンクションキーを具備している。
【００１３】
映像処理部(12)は制御部(10)の制御信号によって表示部(13)の動作を調節することで、制御信号によって表示データを回転変換して出力する。
【００１４】
バックライト(15)は表示部(13)やキー入力部(11)に光を提供して暗い所でもユーザが表示部の出力内容を容易に確認することができるようにしたのである。以下の説明では表示部(13)やキー入力部(11)に限定されるのではなくて、ある一つまたは二つの全部の装置で同一に動作できることはもちろんである。
【００１５】
センサ(100)はバックライト(15)を駆動させるための感知信号を制御部(10)に提供して、表示部(13)に出力される画面データを回転変換するための感知信号を前記制御部(10)に提供するためのこととして加速度センサ、振動センサなどが使われることができる(図2参照)。
【００１６】
RF部(16)はアンテナを介して受信される信号を復調して出力し、制御部(10)を通して入力される信号を変調してアンテナを通して伝送する。
【００１７】
メモリ部(17)は端末器の運営のための各種データが保存されて、有無線を通して入力されるデータを保存する。
【００１８】
音声処理部(18)は制御部(10)により処理された音声データを可聴帯域に変換してスピーカーを通して出力して、マイクを通して入力される音声をデジタル変換して出力する。
【００１９】
表示部(13)はLCDなどで構成されることができて、映像処理部(12)の制御を受けて映像またはイメージ、動映像などの表示データを出力する。フォルダ型の端末器の場合表示部(13)は上位フォルダに位置して、長い方向が上下に設置されて一般的な情報端末器またはテレビ、コンピュータなどに表示されるデータ等の左右が切られて表示されたり、小さく表示される問題点がある。
【００２０】
本発明は端末器に内蔵されたセンサの感知データを利用して端末器の表示部(13)及びキー入力部(11)のバックライト(15)の電源をオンしたり表示部(13)の表示データを回転させるものである。端末器を通話するために使用したり、メニューを使用する場合端末器の表示部(13)及びキー入力部(11)のバックライト(15)の電源がオンなって画面が明るくなり暗い所でも作業を可能にする。しかし電源を節約するために一定時間が過ぎればバックライト(15)の電源がオフされる。
【００２１】
このようにバックライトがオフされる状態で再び表示部(13)とキー入力部(11)のバックライト(15)をオンさせるためには任意のボタンを押さえなければならない。こういう場合現在進行中のモードで他のモードに転換になる場合が発生したり、文字入力の中不必要なキー入力により修正/削除しなければならないことが発生する。本発明はバックライト(15)がオフされる状態で端末器に内蔵されたセンサデータを利用してバックライト(15)をオンさせるものである。端末器に振動センサまたは加速度センサ(100)等を内蔵して、内蔵されたセンサ(100)に入力されるセンサ値の変化にしたがってバックライト(15)をオンさせるものである。
【００２２】
バックライト(15)がオフされる状態でユーザが携帯電話を軽く左右または前後に振ってくれて振動センサ(100)が振動の変化を感知したり、加速度センサ(100)が加速度の変化を感知してセンサ値の変化を制御部(10)に伝達すれば、制御部(10)はバックライト(15)をオンさせる。上のようにセンサ(100)値の変化を利用して端末器を軽く左右または前後に振ってくれてバックライト(15)をオンしてくれることによって任意のボタンを押さえてバックライトをオンさせることで、ボタンを押さえたりする不便さを解消できる。
【００２３】
また、端末器を通して写真または動映像を見ようとする場合またはメニューを注意深くみる時大部分端末器の表示部(13)が水平*垂直比率中で垂直方向がより長い形態であるから、写真または動映像を見たりする場合垂直モードでは左右が切られたり縮小になって出力される現象が発生することもする。このような場合、画面を水平モードに転換してくれれば画面を広く見られる長所が生まれる。上のように画面の出力方向の変換を端末器に既内蔵された振動センサ(100)または加速度センサ(100)を利用することができる。写真または動映像だけでなく現在表示されている画面データを回転変換してから見ることもできる。携帯電話の背景画面またはカレンダー、日程またはメニュー画面を広いモードで見ようとする場合画面データを回転変換してひと目で見回してみることができる。
【００２４】
端末器の画面表示データを回転変換しようとする場合端末器を軽く左右または前後に振るくれれば振動センサ(100)が振動の変化を感知したり加速度センサ(100)が加速度の変化を感知してセンサ値の変化を制御部(10)に伝達して、制御部(10)は画面データを回転変換させる。
【００２５】
表示部(13)の出力パターンの変更方法はソフトウェア的にまたはハードウェアー的に具現可能である。ハードウェア的な変更方法はメモリを利用して具現可能である。表示部(13)の水平出力パターンイメージデータを保存するメモリと表示部(12)の垂直出力パターンイメージデータを保存するメモリを使用することができる。前記メモリの選択はセンサ(100)からのセンシング信号によりなされて、選択されたメモリの出力パターンが表示される。ソフトウェア的な変更は映像処理部(12)が表示部(13)とメモリ(17)を制御してメモリ(17)からの出力を垂直または水平パターンで表示されるようにする。
【００２６】
センサ(100)データ値を入力受ける時限界値をおいてセンサデータが限界値の以上の場合にのみバックライト(15)をオンしたり画面データを回転変換させる。限界値が小さな場合には微細な動きにも制御部(10)が反応する問題が発生できる。したがって、ユーザがバックライト(15)をオンしようとしたり、現在の画面データを回転変換させろうとする時に携帯電話を左右または前後に軽く振る程度の値を限界値として限界値の以上の場合にのみ制御部(10)が動作するようにする。
【００２７】
以下に図1ないし図3を参照して本発明に係る一実施例を説明すれば、図3の200ステップで制御部(10)は端末器が使用状態なのかを検査する。すなわち、フォルダ型と同じ場合フォルダが開放されてユーザにより端末器が使われている状態なのかを検査する。210ステップで制御部(10)はセンサ(100)により端末器の動きが感知になったのかを検査する。センサにより端末器の動きが感知になったならば、220ステップに進行する。
【００２８】
220ステップで制御部(10)は現在表示部(13)の動作モードが映像出力モードなのかを検査する。すなわち、一般的なテキストメニューでない写真と同じイメージ出力状態だとか、動映像を駆動させている状態なのかを検査する。この時、映像出力モードならば230ステップに進行してバックライトがオフされる状態なのかを検査する。バックライト(15)がオフなったならば240ステップに進行してバックライト(15)をオンする。バックライト(15)がオン状態ならば250ステップに進行して映像処理部(12)を通して表示データを回転変換して表示部(13)を通して出力する。すなわち、映像出力モード状態でバックライト(15)がオフならばバックライトをオンし、バックライトがオンである場合には画面表示データを回転変換して出力する。
【００２９】
220ステップで制御部(10)は現在表示部(13)の動作モードが映像出力モードでなければ260ステップに進行する。260ステップで制御部(10)はバックライト(15)がオフなったのかを検査する。バックライト(15)がオフなったならば270ステップに進行してバックライト(15)をオンする。
【００３０】
以上図3にともなう第1実施形態は出力モードが映像出力モードの場合を説明したが、以下図4にともなう第2実施形態は出力モードに関係なくバックライト(15)とセンサ(100)により動作する方法を説明したのである。
【００３１】
図4の400ステップで制御部(10)は端末器が使用状態なのかを検査する。すなわち、フォルダ型と同じ場合フォルダが開放されてユーザにより端末器が使われている状態なのかを検査する。410ステップで制御部(10)はセンサ(100)により端末器の動きが感知になったのかを検査する。センサにより端末器の動きが感知になったならば、420ステップに進行する。420ステップで制御部(10)はバックライト(15)がオフされる状態なのかを検査する。
【００３２】
バックライト(15)がオフなったならば430ステップに進行してバックライト(15)をオンする。バックライト(15)がオン状態ならば440ステップに進行して映像処理部(12)を通して画面表示データを回転変換して表示部(13)を通して出力する。すなわち、センサデータが入力された時バックライト(15)がオフならば、バックライト(15)をオンして、バックライト(15)がオンであれば画面表示データを回転変換する表示部(13)を通して出力する。
【図面の簡単な説明】
【００３３】
【図１】本発明の実施例にともなう携帯用端末器の概略的なブロック構成図である。
【図２】本発明の実施例にともなう携帯用端末器の斜視図である。
【図３】本発明の実施例にともなう携帯用端末器の動作制御フローチャートである。
【図４】本発明の他の実施例にともなう携帯用端末器の動作制御フローチャートである。
【符号の説明】
【００３４】
10  制御部
11  キー入力部
12  映像処理部
13  表示部
15  バックライト
16  RF部
17  メモリ部
18  音声処理部
100   振動センサ
【図１】
2005198235.tif 000003
【図２】
2005198235.tif 000004
【図３】
2005198235.tif 000005
【図４】
2005198235.tif 000006